(57)【要約】【課題】眉の形状や長さを容易に整えることができ、鏡に向かって使用する際でも、挟持片によって眉が隠れることがなく、さらに、使い勝手の良さや美観の向上を図った眉毛用毛抜きを提供する。【解決手段】眉の形状を整える際に使用される眉毛用毛抜きであって、対向する一対の挟持片２ａ、２ｂと、該挟持片２ａ、２ｂの基端を固着した固定部４と、前記挟持片２ａ、２ｂの先端に形成され閉時に当接して毛を挟み込む挟持部３ａ、３ｂと、前記挟持片２ａ、２ｂに設けられた切欠部５と、前記挟持片２ａ、２ｂ設けられた、図形表示された目盛部６と、を備える。【選択図】図１
0003147559.tif 000002
【実用新案登録請求の範囲】
【請求項１】
対向する一対の挟持片と、該挟持片の基端を固着した固定部と、前記挟持片の先端に形成され閉時に当接して毛を挟み込む挟持部と、前記挟持片に設けられた切欠部とを備える眉毛用毛抜きにおいて、
前記挟持片に、図形表示された目盛部を設けたことを特徴とする眉毛用毛抜き。
【請求項２】
前記切欠部が、前記挟持片の略中央部から先端にかけて先細状に、かつ湾曲状に形成されている請求項１記載の眉毛用毛抜き。
【請求項３】
前記目盛部が１ｃｍ間隔で設けられている請求項１または２記載の眉毛用毛抜き。
【請求項４】
前記目盛部が５ｍｍ間隔で設けられている請求項１または２記載の眉毛用毛抜き。
【請求項５】
前記目盛部が、大きさの異なる図形の組み合わせからなる請求項１乃至４のうちいずれか１項に記載の眉毛用毛抜き。
【請求項６】
前記目盛部が、色彩の異なる図形の組み合わせからなる請求項１乃至５のうちいずれか１項に記載の眉毛用毛抜き。
【請求項７】
前記固定部に、図柄形状の開孔部を穿孔した請求項１乃至６のうちいずれか１項に記載の眉毛用毛抜き。
【考案の詳細な説明】
【技術分野】
【０００１】
本考案は、眉毛の形を整える際に使用される眉毛用毛抜きに関し、特に、眉毛の形状や長さを容易に、且つ正確に整えることができ、さらに利便性や美観の向上を図った眉毛用毛抜きに関する。
【背景技術】
【０００２】
従来より、髭や眉毛、また毛髪等の余分な体毛を、先端の挟持部に挟んで抜くことができる毛抜きが多数存在する。そのような中で、例えば、先端に毛を挟む挟持部を形成した一本の金属片を二つに折り曲げ、折り曲げた際に生じるバネの特性を利用した和風毛抜きや、予め反りを持たせた二枚の金属板の基端を固定した洋風の毛抜きが広く知られている。
【０００３】
また、毛抜き部を二面に挟み付け型にし、又、毛抜き部を支持部に対して、有効な曲げ角度をもたせることにより、毛抜きを容易に、安全に使い易くした毛抜きの用具が報告されている（例えば、特許文献１参照）。
【０００４】
特許文献１記載の毛抜きの用具では、バネ部を介した、指で持つ支持部を設け、その先端に毛抜き部を有する構造であり、支持部に平行な中心線と、毛抜き部の２枚に平行な中心線との角度を５度から６０度の範囲内に取っている。
【０００５】
しかしながら、特許文献１記載の毛抜きを含め従来の毛抜きの用具においては、図９の（ａ）に示すように、眉の上方を整えようとすると、毛抜きの本体部１０が眉毛の大半を覆ってしまうため、形状や長さを整えることが困難であった。また、図９の（ｂ）に示すように、眉毛の下方を整えようとすると、毛抜きの本体部１０が眼前にくるため、視界が遮られてしまうことが起きた。
【０００６】
そこで、上述の課題を解決すべく、本出願人は先に、眉の形状や長さを容易に整えることができ、また、鏡に向かって使用する際に、毛抜きの本体部が眉毛の大半を覆ってしまうことのない眉毛用毛抜きにつき実用新案登録出願をした（特許文献２参照）。
【０００７】
この特許文献２記載の眉毛用毛抜きは、対向する一対の挟持片と、該挟持片の基端を固着した固定部と、前記挟持片の先端に形成され閉時に当接して毛を挟み込む挟持部と、前記挟持片に設けられた切欠部とを備え、切欠部が、前記挟持片の略中央部から先端にかけて先細状に、且つ湾曲状に形成され、さらに、前記挟持片に目盛を設けた構造からなるものである。
【特許文献１】特開平０９−２７６０３５号公報
【特許文献２】実用新案登録第３１３６４２１号公報
【考案の開示】
【考案が解決しようとする課題】
【０００８】
上掲特許文献２の眉毛用毛抜きでは、略中央部から先端にかけて先細状に、且つ湾曲状に形成された切欠部が形成されているので、使用の際に挟持片によって眉が隠れることがなく、形状や長さを容易に整えることができる。また、挟持片に目盛を設けたことにより、左右の眉の長さを均一に整えることができるという利点もある。しかしその一方で、目盛の細部が視認しづらく、また毛抜き全体から冷たい雰囲気が醸し出されてしまうという問題も新たに生じた。
【０００９】
そこで本考案の目的は、上記問題点を解消し、眉の形状や長さを容易に整えることができ、鏡に向かって使用する際でも、挟持片によって眉が隠れることがなく、さらに、使い勝手の良さや美観の向上を図った眉毛用毛抜きを提供することにある。
【課題を解決するための手段】
【００１０】
本考案は、上記課題を解決するために、対向する一対の挟持片と、該挟持片の基端を固着した固定部と、前記挟持片の先端に形成され閉時に当接して毛を挟み込む挟持部と、前記挟持片に設けられた切欠部とを備える眉毛用毛抜きにおいて、
前記挟持片に、図形表示された目盛部を設けたことを特徴とするものである。
【００１１】
本考案の眉毛用毛抜きにおいて、前記切欠部が、好ましくは前記挟持片の略中央部から先端にかけて先細状に形成されている。また、前記目盛部が、好ましくは１ｃｍ間隔または５ｍｍ間隔で設けられている。
【００１２】
さらに、前記目盛部は、大きさの異なる図形の組み合わせからなるものとすることができ、また、色彩の異なる図形の組み合わせからなるものとすることもできる。
【００１３】
さらにまた、前記固定部に、図柄形状の開孔部を穿孔することができる。
【考案の効果】
【００１４】
本考案によれば、切欠部を設けた挟持片に、図形表示された目盛部を設けたことにより、左右の眉毛の長さを均一に整える際、眉毛の長さを明確に視認することができる。また目盛部は、大きさや色彩の異なる組み合わせからなるため、使い勝手の良さと美的外観的な趣を向上させることができる。
【考案を実施するための最良の形態】
【００１５】
以下、本考案における眉毛用毛抜きの実施の形態を図面に基づいて説明する。
図１及び図２に示す眉毛用毛抜き１は、対向する一対の挟持片２ａ、２ｂと、該挟持片２ａ、２ｂの基端を固着した固定部４と、挟持片２ａ、２ｂの先端に形成され閉時に当接して毛を挟み込む挟持部３ａ、３ｂと、挟持片２ａ、２ｂに形成された切欠部５とを備える。
【００１６】
対向する一対の挟持片２ａ、２ｂは板状の金属片からなり、予め外側に反りを持たせた形状を呈する。挟持片２ａ、２ｂの基端には、スポット溶接等の常法手段で固着した固定部４が形成されている。したがって、バネの作用で挟持部３ａ、３ｂ間に隙間が形成され、挟持片２ａ、２ｂを指で操作して、余分な眉毛の毛を挟み抜き、抜いた毛を容易に廃棄することができる。
【００１７】
挟持片２ａ、２ｂに形成されている切欠部５は、挟持片２ａ、２ｂの略中央部から先端にかけて湾曲状に形成されている。したがって、挟持片２ａ、２ｂは先端になるに従い細状に形成されている。
【００１８】
なお、切欠部５の形状は、図に示す緩やかな湾曲形状に限定されるものではなく、例えば、角型眉、アーチ型眉、平行眉等のさまざまな眉毛の形状に合わせた形状に形成することもできる。切欠部５の形状を所望の眉の形状に合わせた形状に形成することにより、図８の（ａ）に示すように、側面方向（耳側）から眉ａ上部のラインを所望の形状に整えることが容易となる。また、（ｂ）に示すように、顔中央側から眉ａ上部のラインを所望の形状に整えることもできる。さらに、眉ａの下部のラインを整える際でも、切欠部５が略中央部から先端にかけて湾曲状に形成されているため、視界が遮られることがなく、鏡を見ながら余分な毛を容易に抜くことができる。
【００１９】
本考案の眉毛用毛抜きにおいては、挟持片２ａ、２ｂに図形表示された目盛部６を設けることが肝要である。この目盛部６は、挟持片２ａ、２ｂの略中央部から先端の挟持部３ａ、３ｂにかけて設けられている。目盛部６を挟持片２ａ、２ｂに設ける箇所は特に限定されるものではないが、眉の長さを整える際の使用勝手を向上させるために、挟持片２ａ、２ｂの下部に設けることが好ましい。目盛部６を設けることで、眉毛ａの長さを正確に計ることができ、左右の眉の長さを対称に整えることができる。目盛部６は、挟持片２ａ、２ｂの切欠部５に、印刷、押型、エッチング等の方法により設けることができる。
【００２０】
図３に拡大して示す目盛部６は、挟持片２ａ、２ｂの切欠部５に１ｃｍ間隔で設けられている。目盛部６を１ｃｍ間隔で設けることで、眉の長さの調節が、容易に視認することができる。
【００２１】
また、目盛部６は、図４に示すように、挟持片２ａ、２ｂの切欠部５に、５ｍｍ間隔で設けてもよい。目盛部６を５ｍｍの間隔で設けることで、眉の長さの微妙な調節が可能となる。なお、この際、１ｃｍ間隔に設けられている目盛部６を大形に、５ｍｍ部分の目盛部６ａを小形に表示することで、長さ確認を容易に判断できる。
【００２２】
あるいは、図５に示すように、目盛部６を、異なる色彩の組み合わせで表示してもよい。例えば、１ｃｍ間隔に設けられている目盛部６ｂを赤色や黄色、また青色等の色彩を施すことで、眉の長さ確認をより一層容易に識別判断できるとともに、美的外観的にも好印象を与えることが可能となる。
【００２３】
また、目盛部６に設けられる形状は、図示する形状（ハート型）に限定されるものではなく、図６の（ａ）に示すダイヤ形、（ｂ）に示す円形、（ｃ）に示す三角形、（ｄ）に示す星形等、さまざまな形状に適宜形成することができる。
【００２４】
また、本考案の他の好適例として、固定部４に、図柄形状の開孔部７を好適に穿孔することができる。開孔部７は、ストラップやリング等を装着させる孔であり、図１および図２においては、固定部４近傍に開孔部７が円形状に穿孔されている。この開孔部７の形状は円形状に限定されるものではなく、図７の（ａ）に示すハート形、（ｂ）に示す十字形、（ｃ）に示すダンベル形、（ｄ）に示すダイヤ形等、さまざまな形状に形成することができる。また、目盛部６に設けられる形状と同形状とすることで、美的統一感を与えることもできる。
【００２５】
なお、本考案における眉毛用毛抜き１において、固定部４の周囲を、星型やハート型、また動物型や各種キャラクター型に形成してもよい。固定部４周囲にデザインを施すことで、外観的な楽しさを一層向上させることができる。
【００２６】
本考案における眉毛用毛抜き１においては、切欠部５を設けた挟持片２ａ、２ｂに、図形表示された目盛部６を設けることにより、左右の眉毛の長さを均一に整える際、眉毛の長さを明確に視認することができる。また、目盛部６は、大きさや色彩の異なる組み合わせからなるため、使い勝手と美的外観的な趣を向上させることができる。
【図面の簡単な説明】
【００２７】
【図１】本考案の眉毛用毛抜きの全体図斜視である。
【図２】前記眉毛用毛抜きの正面図である。
【図３】目盛部の拡大図である。
【図４】前記目盛部の他の好適例を示す拡大図である。
【図５】前記目盛部のその他の好適例を示す拡大図である。
【図６】目盛部の他の形状を示す拡大図である。
【図７】固定部の他の形状を示す拡大図である。
【図８】本考案の眉毛用毛抜きの使用状態を示す説明図である。
【図９】従来の眉毛用毛抜きの使用状態を示す説明図である。
【符号の説明】
【００２８】
１  眉毛用毛抜き
２ａ、２ｂ  挟持片
３ａ、３ｂ  挟着部
４  固定部
５  切欠部
６  目盛部
７  開孔部
１０  毛抜き本体部
ａ  眉毛
【図１】
0003147559.tif 000003
【図２】
0003147559.tif 000004
【図３】
0003147559.tif 000005
【図４】
0003147559.tif 000006
【図５】
0003147559.tif 000007
【図６】
0003147559.tif 000008
【図７】
0003147559.tif 000009
【図８】
0003147559.tif 000010
【図９】
0003147559.tif 000011